(57)【要約】【課題】冷凍室１３および野菜室１８のそれぞれで食品の収納スペースが小さくなることを抑える。【解決手段】操作プレート３３が中立位置から矢印方向のＦドア操作位置へ回転したときには第１のプッシャ部材５０が択一的に前進することに基づいてＦスライドドア１４が閉鎖状態から前方へ押圧操作され、操作プレート３３が中立位置から反矢印方向のＶドア操作位置へ回転したときには第２のプッシャ部材６０が択一的に前進することに基づいてＶスライドドア１９が閉鎖状態から前方へ押圧操作される。このため、冷凍室１３内および野菜室１８内のそれぞれに専用のドア操作装置を収納する必要がなくなるので、冷凍室１３および野菜室１８のそれぞれで食品の収納スペースが小さくなることを抑えることができる。【選択図】図３
2009127980.tif 000002
【特許請求の範囲】
【請求項１】
使用者側である前面が開口するものであって、冷気が供給される第１の貯蔵室と、
前記第１の貯蔵室の前面を閉鎖する閉鎖状態および前記第１の貯蔵室の前面を開放する開放状態相互間で移動可能な第１のドアと、
前記第１のドアの閉鎖状態で前記第１のドアを前方へ押圧操作する前進位置および当該前進位置に比べて後方の位置であって前記第１のドアの閉鎖状態で前記第１のドアから離間する後退位置相互間で移動可能な第１のプッシャ部材と、
使用者側である前面が開口するものであって、冷気が供給される第２の貯蔵室と、
前記第２の貯蔵室の前面を閉鎖する閉鎖状態および前記第２の貯蔵室の前面を開放する開放状態相互間で移動可能な第２のドアと、
前記第２のドアの閉鎖状態で前記第２のドアを前方へ押圧操作する前進位置および当該前進位置に比べて後方の位置であって前記第２のドアの閉鎖状態で前記第２のドアから離間する後退位置相互間で移動可能な第２のプッシャ部材と、
前記第１のプッシャ部材および前記第２のプッシャ部材を相互に連結する連結部材と、
前記連結部材のうち前記第１のプッシャ部材の前記連結部材に対する連結部分および前記第２のプッシャ部材の前記連結部材に対する連結部分相互間に設けられた回転軸と、
前記連結部材を前記回転軸を中心に回転操作するものであって、前記連結部材を前記第１のプッシャ部材および前記第２のプッシャ部材のそれぞれを前記前進位置に移動させない中立位置から一方側の第１のドア操作位置に回転操作することに基づいて前記第１のプッシャ部材のみを前記前進位置へ移動操作し、前記連結部材を前記中立位置から前記第１のドア操作位置とは反対側の第２のドア操作位置に回転操作することに基づいて前記第２のプッシャ部材のみを前記前進位置へ移動操作するモータと、
前記モータを駆動制御することに基づいて前記連結部材を前記中立位置と前記第１のドア操作位置と前記第２のドア操作位置相互間で回転操作する制御回路を備えたことを特徴とする冷蔵庫。
【請求項２】
前記第１のドアに設けられ、使用者が操作することが可能な第１の操作子と、
前記第２のドアに設けられ、使用者が操作することが可能な第２の操作子を備え、
前記制御回路は、前記第１の操作子および前記第２の操作子のそれぞれの操作内容に応じて前記モータを駆動制御するものであって、前記第１の操作子が操作されることに基づいて前記連結部材を前記第１のドア操作位置に回転操作すると共に前記第２の操作子が操作されることに基づいて前記連結部材を前記第２のドア操作位置に回転操作するものであることを特徴とする請求項１に記載の冷蔵庫。
【請求項３】
前記第１のプッシャ部材および前記第２のプッシャ部材のそれぞれは、前記第１のプッシャ部材の前記連結部材に対する連結部分および前記第２のプッシャ部材の前記連結部材に対する連結部分が前記回転軸を挟んで相互に対向するように前記連結部材に連結されていることを特徴とする請求項１〜２のいずれかに記載の冷蔵庫。
【請求項４】
前記第１のプッシャ部材および前記第２のプッシャ部材のそれぞれは、前記連結部材にスライド可能に連結されていることを特徴とする請求項３に記載の冷蔵庫。
【発明の詳細な説明】
【技術分野】
【０００１】
本発明は貯蔵室のドアを閉鎖状態から開放状態に向けて操作するドア操作装置を備えた冷蔵庫に関する。
【背景技術】
【０００２】
上記冷蔵庫には操作子が操作されることに基づいてドア操作装置の駆動源に駆動電源を印加する構成のものがある。このドア操作装置は前進位置および後退位置相互間で移動可能なプッシャ部材を備えたものであり、プッシャ部材は駆動源に駆動電源が印加されることに基づいて後退位置から前進位置へ移動し、ドアはプッシャ部材が後退位置から前進位置へ移動することに基づいて閉鎖状態から前方へ押圧操作される。
【特許文献１】特願２００６−１８４９８７
【発明の開示】
【発明が解決しようとする課題】
【０００３】
上記冷蔵庫の場合にはドア操作装置が貯蔵室内に収納されている。このため、２つのドアのそれぞれをドア操作装置によって操作しようとしたときには２つの貯蔵室内のそれぞれに専用のドア操作装置を収納する必要がある。従って、２つの貯蔵室のそれぞれの内容積がドア操作装置の体積に応じた分だけ狭くなるので、２つの貯蔵室のそれぞれで食品の収納スペースが小さくなる問題が発生する。
【０００４】
本発明は上記事情に鑑みてなされたものであり、２つの貯蔵室のそれぞれで食品の収納スペースが小さくなることを抑えながらも２つのドアのそれぞれをドア操作装置によって操作することができる冷蔵庫を提供することを目的とするものである。
【課題を解決するための手段】
【０００５】
本発明の冷蔵庫は、使用者側である前面が開口するものであって冷気が供給される第１の貯蔵室と、前記第１の貯蔵室の前面を閉鎖する閉鎖状態および前記第１の貯蔵室の前面を開放する開放状態相互間で移動可能な第１のドアと、前記第１のドアの閉鎖状態で前記第１のドアを前方へ押圧操作する前進位置および当該前進位置に比べて後方の位置であって前記第１のドアの閉鎖状態で前記第１のドアから離間する後退位置相互間で移動可能な第１のプッシャ部材と、使用者側である前面が開口するものであって冷気が供給される第２の貯蔵室と、前記第２の貯蔵室の前面を閉鎖する閉鎖状態および前記第２の貯蔵室の前面を開放する開放状態相互間で移動可能な第２のドアと、前記第２のドアの閉鎖状態で前記第２のドアを前方へ押圧操作する前進位置および当該前進位置に比べて後方の位置であって前記第２のドアの閉鎖状態で前記第２のドアから離間する後退位置相互間で移動可能な第２のプッシャ部材と、前記第１のプッシャ部材および前記第２のプッシャ部材を相互に連結する連結部材と、前記連結部材のうち前記第１のプッシャ部材の前記連結部材に対する連結部分および前記第２のプッシャ部材の前記連結部材に対する連結部分相互間に設けられた回転軸と、前記連結部材を前記回転軸を中心に回転操作するものであって前記連結部材を前記第１のプッシャ部材および前記第２のプッシャ部材のそれぞれを前記前進位置に移動させない中立位置から一方側の第１のドア操作位置に回転操作することに基づいて前記第１のプッシャ部材のみを前記前進位置へ移動操作し前記連結部材を前記中立位置から前記第１のドア操作位置とは反対側の第２のドア操作位置に回転操作することに基づいて前記第２のプッシャ部材のみを前記前進位置へ移動操作するモータと、前記モータを駆動制御することに基づいて前記連結部材を前記中立位置と前記第１のドア操作位置と前記第２のドア操作位置相互間で回転操作する制御回路を備えたところに特徴を有する。
【発明の効果】
【０００６】
連結部材をモータによって回転操作することに基づいて第１のプッシャ部材および第２のプッシャ部材のそれぞれを択一的に前進位置へ移動操作し、第１の貯蔵室の第１のドアおよび第２の貯蔵室の第２のドアのそれぞれを択一的に閉鎖状態から前方へ押圧操作している。このため、第１の貯蔵室内および第２の貯蔵室内のそれぞれに専用のドア操作装置を収納する必要がなくなるので、第１の貯蔵室および第２の貯蔵室のそれぞれで食品の収納スペースが小さくなることを抑えながらも第１のドアおよび第２のドアのそれぞれをドア操作装置によって操作することができる。
【発明を実施するための最良の形態】
【０００７】
［実施例１］
キャビネット１は、図１に示すように、前面が開口する縦長な長方形状をなすものであり、底板と左側板と右側板と天板と後板を有している。このキャビネット１は外箱の内部に内箱を収納し、外箱および内箱相互間の隙間に断熱材を充填することから構成されたものであり、キャビネット１の内部には水平な上断熱仕切壁２が固定されている。この上断熱仕切壁２は中空状のケース内に固形状の断熱材を収納することから構成されたものであり、キャビネット１の内部には上断熱仕切壁２の上方に位置して冷蔵室３が形成されている。
【０００８】
キャビネット１には、図２に示すように、冷蔵室３の前方に位置してＬドア４およびＲドア５のそれぞれが装着されている。Ｌドア４は冷蔵室３の前面のうち左半部を閉鎖する閉鎖状態および左半部を開放する開放状態相互間で垂直な軸６を中心に回動可能にされたものであり、Ｒドア５は冷蔵室３の前面のうち右半部を閉鎖する閉鎖状態および右半部を開放する開放状態相互間で垂直な軸７を中心に回動可能にされたものである。この冷蔵室３の室壁には冷気吹出口が固定されており、冷蔵室３内はＬドア４およびＲドア５のそれぞれの閉鎖状態で冷気吹出口から冷気が供給されることに基づいて食品を冷蔵保存することが可能な冷蔵温度帯域にコントロールされる。
【０００９】
キャビネット１の内部には、図１に示すように、上断熱仕切壁２の下方に位置して水平な中断熱仕切壁８が固定されている。この中断熱仕切壁８は中空状のケース内に固形状の断熱材を収納することから構成されたものであり、キャビネット１の内部には上断熱仕切壁２および中断熱仕切壁８相互間に位置して製氷室９およびセレクト室が左右方向に並べて形成されている。このキャビネット１には、図２に示すように、製氷室９の前方に位置してＩスライドドア１０が装着され、セレクト室の前方に位置してＳスライドドア１１が装着されている。Ｉスライドドア１０は製氷室９の前面を閉鎖する閉鎖状態および製氷室９の前面を開放する開放状態相互間で前後方向へ直線的に移動可能にされたものであり、Ｓスライドドア１１はセレクト室の前面を閉鎖する閉鎖状態およびセレクト室の前面を開放する開放状態相互間で前後方向へ直線的に移動可能にされたものである。これら製氷室９の室壁およびセレクト室の室壁のそれぞれには冷気吹出口が固定されており、製氷室９内はＩスライドドア１０の閉鎖状態で冷気吹出口から冷気が供給されることに基づいて水を氷結させることが可能な製氷温度帯域にコントロールされ、セレクト室内はＳスライドドア１１の閉鎖状態で冷気吹出口から冷気が供給されることに基づいて食品を冷蔵保存することが可能な冷蔵温度帯域および食品を冷凍保存することが可能な冷凍温度帯域のいずれかにコントロールされる。
【００１０】
キャビネット１の内部には、図１に示すように、中断熱仕切壁８の下方に位置して水平な下断熱仕切壁１２が固定されている。この下断熱仕切壁１２は中空状のケース内に固形状の断熱材を収納することから構成されたものであり、キャビネット１の内部には中断熱仕切壁８および下断熱仕切壁１２相互間に位置して冷凍室１３が形成されている。このキャビネット１には冷凍室１３の前方に位置してＦスライドドア１４が装着されている。このＦスライドドア１４は冷凍室１３の前面を閉鎖する閉鎖状態および冷凍室１３の前面を開放する開放状態相互間で前後方向へ直線的に移動可能にされたものであり、冷凍室１３は第１の貯蔵室に相当し、Ｆスライドドア１４は第１のドアに相当する。
【００１１】
Ｆスライドドア１４の後面には、図１に示すように、ゴム製のガスケット１５が固定されている。このガスケット１５はＦスライドドア１４を取囲む枠状をなすものであり、Ｆスライドドア１４はＦスライドドア１４の閉鎖状態でガスケット１５がキャビネット１と中断熱仕切壁８と下断熱仕切壁１２のそれぞれの前面に接触することに基づいて冷凍室１３を密閉する。この冷凍室１３の室壁には冷気吹出口が固定されており、冷凍室１３内はＦスライドドア１４の閉鎖状態で冷気吹出口から冷気が供給されることに基づいて食品を冷凍保存することが可能な冷凍温度帯域にコントロールされる。
【００１２】
Ｆスライドドア１４には、図１に示すように、手掛部１６が形成されている。この手掛部１６は使用者が下方から手指を引掛けてＦスライドドア１４を操作するためのものであり、手掛部１６には、図２に示すように、左右方向の中央部に位置してＦドアボタン１７が装着されている。このＦドアボタン１７は使用者が前方から操作可能なものであり、初期位置および初期位置より後方の押込み位置相互間で前後方向へ直線的に移動可能にされている。このＦドアボタン１７は第１の操作子に相当するものであり、Ｆドアボタン１７には永久磁石が連結されている。この永久磁石はＦスライドドア１４の内部に収納されたものであり、Ｆドアボタン１７の押込み位置で操作位置に移動し、Ｆドアボタン１７の初期位置で操作位置に比べて前方の非操作位置に移動する。
【００１３】
キャビネット１の内部には、図１に示すように、下断熱仕切壁１２の下方に位置して野菜室１８が形成されている。この野菜室１８は冷凍室１３に下断熱仕切壁１２を介して隣接するものであり、キャビネット１には野菜室１８の前方に位置してＶスライドドア１９が装着されている。このＶスライドドア１９は野菜室１８の前面を閉鎖する閉鎖状態および野菜室１８の前面を開放する開放状態相互間で前後方向へ直線的に移動可能にされたものであり、野菜室１８は第２の貯蔵室に相当し、Ｖスライドドア１９は第２のドアに相当する。
【００１４】
Ｖスライドドア１９の後面には、図１に示すように、ゴム製のガスケット２０が固定されている。このガスケット２０はＶスライドドア１９を取囲む枠状をなすものであり、Ｖスライドドア１９はＶスライドドア１９の閉鎖状態でガスケット２０がキャビネット１および下断熱仕切壁１２のそれぞれの前面に接触することに基づいて野菜室１８を密閉する。この野菜室１８の室壁には冷気吹出口が固定されており、野菜室１８内はＶスライドドア１９の閉鎖状態で冷気吹出口から冷気が供給されることに基づいて食品を冷蔵保存することが可能な冷蔵温度帯域にコントロールされる。
【００１５】
Ｖスライドドア１９には、図１に示すように、手掛部２１が形成されている。この手掛部２１は使用者が下方から手指を引掛けてＶスライドドア１９を操作するためのものであり、手掛部２１には、図２に示すように、左右方向の中央部に位置してＶドアボタン２２が装着されている。このＶドアボタン２２は使用者が前方から操作可能なものであり、初期位置および初期位置より後方の押込み位置相互間で前後方向へ直線的に移動可能にされている。このＶドアボタン２２は第２の操作子に相当するものであり、Ｖドアボタン２２には永久磁石が連結されている。この永久磁石はＶスライドドア１９の内部に収納されたものであり、Ｖドアボタン２２の押込み位置で操作位置に移動し、Ｖドアボタン２２の初期位置で操作位置に比べて前方の非操作位置に移動する。
【００１６】
キャビネット１の内部には、図３に示すように、ドア操作装置３０が収納されている。このドア操作装置３０はＦスライドドア１４およびＶスライドドア１９のそれぞれを閉鎖状態から前方へ移動操作するものであり、次のように構成されている。下断熱仕切壁１２の内部にはドア操作モータ３１が固定されている。このドア操作モータ３１はステッピングモータからなるものであり、上下方向へ延びる円柱状の回転軸３２を有している。このドア操作モータ３１はモータに相当するものである。
【００１７】
ドア操作モータ３１の回転軸３２には、図３に示すように、水平な板状の操作プレート３３が固定されている。この操作プレート３３は、図４に示すように、上下方向から見て長方形状をなすものであり、操作プレート３３には円形状の取付孔３４が形成されている。この取付孔３４は操作プレート３３の長手方向および短手方向のそれぞれの中心部に配置されたものであり、操作プレート３３は、図５に示すように、取付孔３４の内周面に回転軸３２の外周面を回転不能およびスライド不能に嵌合することに基づいて回転軸３２に固定されている。
【００１８】
操作プレート３３には、図４に示すように、Ｆスリット３５およびＶスリット３６のそれぞれが形成されている。これらＦスリット３５およびＶスリット３６のそれぞれは操作プレート３３を上下方向に貫通する長孔状をなすものであり、回転軸３２の中心点Ｐを通る中心線ＣＬ上に中心点Ｐを挟んで相互に対向するように配置されている。この操作プレート３３は連結部材に相当するものである。
【００１９】
ドア操作モータ３１には、図３に示すように、モータ駆動回路３７が接続されている。このモータ駆動回路３７はドア操作モータ３１にパルス状の駆動信号を出力するものであり、ドア操作モータ３１の回転軸３２はモータ駆動回路３７が駆動信号を出力することに基づいて正方向および逆方向のそれぞれに回転操作される。このモータ駆動回路３７にはマイクロコンピュータを主体に構成された制御回路３８が接続されている。この制御回路３８はＣＰＵとＲＯＭとＲＡＭを有するものであり、モータ駆動回路３７に運転指令を送信することに基づいて操作プレート３３を中立位置とＦドア操作位置とＶドア操作位置相互間で回動操作する。
【００２０】
操作プレート３３の中立位置は、図３に示すように、Ｆスリット３５およびＶスリット３６のそれぞれが左右方向へ指向する位置であり、操作プレート３３が中立位置に保持されている状態ではＦスライドドア１４およびＶスライドドア１９がいずれも操作されない。操作プレート３３のＦドア操作位置は、図６に示すように、Ｆスリット３５がＶスリット３６に比べて前方に移動した位置であり、Ｆスライドドア１４はＦスライドドア１４の閉鎖状態で操作プレート３３が中立位置からＦドア操作位置に回動することに基づいて前方へ操作される。このＦドア操作位置は第１のドア操作位置に相当するものである。操作プレート３３のＶドア操作位置は、図７に示すように、Ｖスリット３６がＦスリット３５に比べて前方に移動した位置であり、Ｖスライドドア１９はＶスライドドア１９の閉鎖状態で操作プレート３３が中立位置からＶドア操作位置に回動することに基づいて前方へ操作される。このＶドア操作位置は第２のドア操作位置に相当するものである。
【００２１】
操作プレート３３には、図３に示すように、Ｆロッド３９が連結されている。このＦロッド３９は垂直な円柱状の連結部４０および水平な円柱状の本体部４１を有するものであり、連結部４０が操作プレート３３のＦスリット３５内にスライド可能に挿入されることに基づいて操作プレート３３に連結されている。この操作プレート３３にはＦロッド３９の右方に位置してＶロッド４２が連結されている。このＶロッド４２は連結部４０および本体部４１を有するものであり、連結部４０が操作プレート３３のＶスリット３６内にスライド可能に挿入されることに基づいて操作プレート３３に連結されている。
【００２２】
下断熱仕切壁１２の内部には、図３に示すように、ドア操作モータ３１の前方に位置してプッシャガイド４３が固定されている。このプッシャガイド４３は前面および後面のそれぞれが開口する四角筒状をなすものであり、プッシャガイド４３の内部にはＦプッシャベース４４が挿入されている。このＦプッシャベース４４は台形状をなすものであり、上面および下面のそれぞれがプッシャガイド４３の内周面によって案内されることに基づいて前後方向へ直線的にスライド可能にされている。このＦプッシャベース４４にはＦロッド３９の本体部４１が固定されており、Ｆプッシャベース４４は操作プレート３３が回転することに基づいてＦロッド３９を介して前後方向へ直線的にスライド操作される。
【００２３】
プッシャガイド４３の内部には、図３に示すように、Ｆプッシャベース４４の右方に位置してＶプッシャベース４５が挿入されている。このＶプッシャベース４５は台形状をなすものであり、上面および下面のそれぞれがプッシャガイド４３の内周面によって案内されることに基づいて前後方向へ直線的にスライド可能にされている。このＶプッシャベース４５にはＶロッド４２の本体部４１が固定されており、Ｖプッシャベース４５は操作プレート３３が回転することに基づいてＶロッド４２を介して前後方向へ直線的にスライド操作される。
【００２４】
Ｆプッシャベース４４の上端部には、図３に示すように、Ｆプッシャ４６が固定されている。このＦプッシャ４６は前後方向へ延びる水平な板状をなすものであり、操作プレート３３が中立位置に操作されている状態で閉鎖状態のＦスライドドア１４の下端部に後方から隙間を介して対向する初期位置に保持される。Ｖプッシャベース４５の下端部にはＶプッシャ４７が固定されている。このＶプッシャ４７は前後方向へ延びる水平な板状をなすものであり、操作プレート３３が中立位置に操作されている状態で閉鎖状態のＶスライドドア１９の上端部に後方から隙間を介して対向する初期位置に保持される。
【００２５】
Ｆプッシャ４６とＦプッシャベース４４とＦロッド３９は第１のプッシャ部材５０を構成するものであり、Ｆロッド３９の連結部４０は第１のプッシャ部材５０の操作プレート３３に対する連結部分に相当する。Ｖプッシャ４７とＶプッシャベース４５とＶロッド４２は第２のプッシャ部材６０を構成するものであり、Ｖロッド４２の連結部４０は第２のプッシャ部材６０の操作プレート３３に対する連結部分に相当する。回転軸３２は操作プレート３３のうち第１のプッシャ部材５０の操作プレート３３に対する連結部分および第２のプッシャ部材６０の操作プレート３３に対する連結部分相互間に配置されたものであり、第１のプッシャ部材５０および第２のプッシャ部材５０のそれぞれは第１のプッシャ部材５０の操作プレート３３に対する連結部分および第２のプッシャ部材６０の操作プレート３３に対する連結部分が回転軸３２を挟んで相互に対向するように操作プレート３３に連結されている。
【００２６】
制御回路３８には、図３に示すように、Ｆドア開放スイッチ４８およびＶドア開放スイッチ４９のそれぞれが接続されている。Ｆドア開放スイッチ４８は中断熱仕切壁８の内部にＦドアボタン１７の永久磁石の後方に位置して収納されたホールＩＣからなるものであり、Ｆドアボタン１７の初期位置で永久磁石からの磁力を受けずにオフされ、Ｆドアボタン１７が初期位置から押込み位置に操作されることに基づいて永久磁石からの磁力を受けてオンされる。Ｖドア開放スイッチ４９は下断熱仕切壁１２の内部にＶドアボタン２２の永久磁石の後方に位置して収納されたホールＩＣからなるものであり、Ｖドアボタン２２の初期位置で永久磁石からの磁力を受けずにオフされ、Ｖドアボタン２２が初期位置から押込み位置に操作されることに基づいて永久磁石からの磁力を受けてオンされる。
【００２７】
制御回路３８のＲＯＭには制御プログラムが記録されており、制御回路３８のＣＰＵはドア操作モータ３１を制御プログラムに従って回転操作することに基づいてＦスライドドア１４およびＶスライドドア１９のそれぞれを操作する。以下、制御回路３８のＣＰＵのドア操作処理の詳細を図８のフローチャートに基づいて説明する。
【００２８】
ＣＰＵはステップＳ１でＦドア開放スイッチ４８がオンされたか否かを判断し、ステップＳ６でＶドア開放スイッチ４９がオンされたか否かを判断する。これらＦドア開放スイッチ４８およびＶドア開放スイッチ４９のそれぞれがオフされた状態では、図３に示すように、操作プレート３３が中立位置に保持されている。この操作プレート３３の中立位置ではＦプッシャ４６およびＶプッシャ４７のそれぞれが初期位置に保持されており、Ｆスライドドア１４が閉鎖状態に操作されているときにはＦプッシャ４６がＦスライドドア１４の下端部に後方から隙間を介して対向し、Ｖプッシャ４７がＶスライドドア１９の上端部に後方から隙間を介して対向している。
【００２９】
ＣＰＵは図８のステップＳ１でＦドア開放スイッチ４８がオンされたことを判断すると、ステップＳ２でモータ駆動回路３７に正転指令を出力する。このモータ駆動回路３７はＣＰＵからの正転指令を検出したときにはドア操作モータ３１に正転用の駆動信号Ｄｃを出力する。この駆動信号Ｄｃはドア操作モータ３１の回転軸３２を図３の矢印方向へ予め決められた単位角度θだけ回転操作するものであり、ドア操作モータ３１の回転軸３２が駆動信号Ｄｃに基づいて矢印方向へ単位角度θだけ回転したときには、図６に示すように、操作プレート３３が中立位置からＦドア操作位置に回動することに基づいてＦロッド３９が前方へ移動し、Ｆプッシャ４６がＦロッド３９を介して初期位置から前方の前進位置へ移動する。これと共にＶロッド４２がＦロッド３９とは反対の後方へ移動し、Ｖプッシャ４７がＶロッド４２を介して初期位置から後方の後退位置へ移動する。即ち、使用者がＦスライドドア１４の閉鎖状態でＦドアボタン１７を初期位置から押込み位置に操作したときにはＦプッシャ４６が初期位置から前進位置へ移動し、Ｆスライドドア１４を後から前に向けて押圧することに基づいて閉鎖状態から前方へ移動操作する。このＦプッシャ４６の前進時にはＶプッシャ４８が後退位置へ移動するので、Ｖスライドドア１９が閉鎖状態に操作されているときであってもＶプッシャ４７がＶスライドドア１９から離間し、Ｖスライドドア１９が閉鎖状態から前方に操作されない。
【００３０】
ＣＰＵは図８のステップＳ２でモータ駆動回路３７に正転指令を出力すると、ステップＳ３でＲＡＭのタイマＴを「０」にリセットする。このタイマＴはＣＰＵが一定の時間間隔でドア操作処理とは異なるタイマ割込み処理を起動し、タイマ割込み処理を起動する毎に一定の単位値を加算することに基づいて計測するものであり、ＣＰＵはステップＳ３でタイマＴをリセットしたときにはステップＳ４へ移行し、タイマＴの加算結果を設定時間と比較する。この設定時間は制御回路３８のＲＯＭに予め記録されたものであり、Ｆプッシャ４６が初期位置から前進位置へ移動し且つＶプッシャ４７が初期位置から後退位置へ移動するのに要する時間に余裕値を加えることから設定されている。
【００３１】
ＣＰＵはステップＳ４で「タイマＴの加算結果＝設定時間」であることを判断すると、ステップＳ５でモータ駆動回路３７に逆転指令を出力する。このモータ駆動回路３７はＣＰＵからの逆転指令を検出したときにはドア操作モータ３１に逆転用の駆動信号Ｄｒを出力する。この駆動信号Ｄｒはドア操作モータ３１の回転軸３２を図３の矢印方向とは反対の反矢印方向へ単位角度θだけ回転操作するものであり、ドア操作モータ３１の回転軸３２が駆動信号Ｄｒに基づいて反矢印方向へ単位角度θだけ回転したときには操作プレート３３が図６のＦドア操作位置から図３の中立位置に復帰し、Ｆプッシャ４６がＦロッド３９を介して前進位置から初期位置に操作され、Ｖプッシャ４７がＶロッド４２を介して後退位置から初期位置に操作される。
【００３２】
ＣＰＵは図８のステップＳ６でＶドア開放スイッチ４９がオンされたことを判断すると、ステップＳ７でモータ駆動回路３７に逆転指令を出力する。このモータ駆動回路３７はＣＰＵからの逆転指令を検出したときにはドア操作モータ３１に駆動信号Ｄｒを出力し、ドア操作モータ３１の回転軸３２を反矢印方向へ単位角度θだけ回転操作する。この場合には、図７に示すように、操作プレート３３が中立位置からＶドア操作位置に回動することに基づいてＶロッド４２が前方へ移動し、Ｖプッシャ４７がＶロッド４２を介して初期位置から前方の前進位置へ移動する。これと共にＦロッド３９がＶロッド４２とは反対の後方へ移動し、Ｆプッシャ４６がＦロッド３９を介して初期位置から後方の後退位置へ移動する。即ち、使用者がＶスライドドア１９の閉鎖状態でＶドアボタン２２を初期位置から押込み位置に操作したときにはＶプッシャ４７が初期位置から前進位置へ移動し、Ｖスライドドア１９を後から前に向けて押圧することに基づいて閉鎖状態から前方へ移動操作する。このＶプッシャ４７の前進時にはＦプッシャ４６が後退位置へ移動するので、Ｆスライドドア１４が閉鎖状態に操作されているときであってもＦプッシャ４６がＦスライドドア１４から離間し、Ｆスライドドア１４が閉鎖状態から前方に操作されない。
【００３３】
ＣＰＵは図８のステップＳ７でモータ駆動回路３７に逆転指令を出力すると、ステップＳ８でＲＡＭのタイマＴを「０」にリセットし、ステップＳ９でタイマＴの加算結果を設定時間と比較する。ここで「タイマＴの加算結果＝設定時間」であることを判断したときにはステップＳ１０へ移行し、モータ駆動回路３７に正転指令を出力する。このモータ駆動回路３７はＣＰＵからの正転指令を検出したときにはドア操作モータ３１に駆動信号Ｄｃを出力する。この場合にはドア操作モータ３１の回転軸３２が駆動信号Ｄｃに基づいて矢印方向へ単位角度θだけ回転することに基づいて操作プレート３３が図７のＶドア操作位置から図３の中立位置に復帰し、Ｖプッシャ４７がＶロッド４２を介して前進位置から初期位置に操作され、Ｆプッシャ４６がＦロッド３９を介して後退位置から初期位置に操作される。
【００３４】
上記実施例１によれば次の効果を奏する。
操作プレート３３をドア操作モータ３１によって回転操作することに基づいて第１のプッシャ部材５０および第２のプッシャ部材６０のそれぞれを択一的に前進位置へ移動操作し、冷凍室１３のＦスライドドア１４および野菜室１８のＶスライドドア１９のそれぞれを択一的に閉鎖状態から前方へ押圧操作した。このため、冷凍室１３内および野菜室１８内のそれぞれに専用のドア操作装置を収納する必要がなくなるので、冷凍室１３および野菜室１８のそれぞれで食品の収納スペースが小さくなることを抑えながらもＦスライドドア１４およびＶスライドドア１９のそれぞれを相互に共通のドア操作装置３０によって操作することができる。しかも、ドア操作モータ３１の回転軸３２の回転方向を制御することに基づいて第１のプッシャ部材５０および第２のプッシャ部材６０のそれぞれを進退させた。このため、第１のプッシャ部材５０を前進位置から後退させるスプリングおよび第２のプッシャ部材６０を前進位置から後退させるスプリングのそれぞれが不要になるので、機械的な構成が簡単になる。
【００３５】
Ｆスライドドア１４を操作するためのＦドアボタン１７をＦスライドドア１４に装着し、Ｖスライドドア１９を操作するためのＶドアボタン２２をＶスライドドア１９に装着した。このため、使用者がＦスライドドア１４を操作するときにはＦドアボタン１７を迷うことなく操作し、Ｖスライドドア１９を操作するときにはＶドアボタン２２を迷うことなく操作することができる。第１のプッシャ部材５０および第２のプッシャ部材６０のそれぞれを操作プレート３３にスライド可能に連結した。このため、操作プレート３３が回転することに基づいて第１のプッシャ部材５０および第２のプッシャ部材６０のそれぞれが操作プレート３３に対してスライドし、相互に平行な一定の姿勢で一定の間隔を保ったまま前後方向へ直線的に移動するので、操作プレート３３の回転運動および第１のプッシャ部材５０の直線運動相互間の捩れが解消され、操作プレート３３の回転運動および第２のプッシャ部材６０の直線運動相互間の捩れが解消される。従って、第１のプッシャ部材５０および第２のプッシャ部材６０のそれぞれが動作不良を起こすことを防止できる。
【００３６】
上記実施例１においては、Ｆドア開放スイッチ４８およびＶドア開放スイッチ４９のそれぞれとしてプッシュスイッチを用いても良い。
上記実施例１においては、ドア操作モータ３１としてサーボモータを用いても良い。
【００３７】
上記実施例１においては、製氷室９のＩスライドドア１０およびセレクト室のＳスライドドア１１のそれぞれを相互に共通のドア操作装置３０によって操作する構成としても良い。
【００３８】
上記実施例１においては、冷蔵室３のＬドア４および冷蔵室３のＲドア５のそれぞれを相互に共通のドア操作装置３０によって操作する構成としても良い。即ち、第１の貯蔵室を開閉する第１のドアおよび第１の貯蔵室を開閉する第２のドアのそれぞれを相互に共通のドア操作装置３０によって操作する構成としても良い。
【図面の簡単な説明】
【００３９】
【図１】実施例１を示す図（冷蔵庫の内部構成を示す断面図）
【図２】冷蔵庫の外観を示す図
【図３】ドア操作装置を操作プレートの中立位置で示す図（ａはＸａ線に沿う断面図、ｂはＸｂ線に沿う断面図）
【図４】操作プレートを示す図
【図５】ドア操作モータおよび操作プレ−トを示す図
【図６】ドア操作装置を操作プレートのＦドア操作位置で示す図３相当図
【図７】ドア操作装置を操作プレートのＶドア操作位置で示す図３相当図
【図８】制御回路の処理内容を示すフローチャート
【符号の説明】
【００４０】
１３は冷凍室（第１の貯蔵室）、１４はＦスライドドア（第１のドア）、１７はＦドアボタン（第１の操作子）、１８は野菜室（第２の貯蔵室）、１９はＶスライドドア（第２のドア）、２２はＶドアボタン（第２の操作子）、３１はドア操作モータ（モータ）、３２は回転軸、３３は操作プレート（連結部材）、３８は制御回路、５０は第１のプッシャ部材、６０は第２のプッシャ部材を示している。
【図１】
2009127980.tif 000003
【図２】
2009127980.tif 000004
【図３】
2009127980.tif 000005
【図４】
2009127980.tif 000006
【図５】
2009127980.tif 000007
【図６】
2009127980.tif 000008
【図７】
2009127980.tif 000009
【図８】
2009127980.tif 000010